(57)【要約】【課題】無線通信を介して接続された各ソース機器との離間距離に応じてコンテンツの再生制御を行う。【解決手段】複数のソース機器１０と無線通信可能であり、各ソース機器１０から提供されたコンテンツを再生するホームオーディオ３０であって、各ソース機器１０との離間距離を測定する距離測定部５１０と、各ソース機器１０に対してコンテンツの送信指令を行う送信指令部５２０と、各ソース機器１０から送信されたコンテンツを受信する受信部３３０と、受信したコンテンツを再生するコンテンツ再生部３４０と、を備え、送信指令部５２０は、距離測定部５１０の測定結果に応じて各ソース機器１０への送信指令を行うことを特徴とする。【選択図】図１８
2013093752.tif 000002
【特許請求の範囲】
【請求項１】
複数のソース機器と無線通信可能であり、各ソース機器から提供されたコンテンツを再生する再生機器であって、
各ソース機器との離間距離を測定する距離測定部と、
各ソース機器に対して前記コンテンツの送信指令を行う送信指令部と、
各ソース機器から送信された前記コンテンツを受信する受信部と、
受信した前記コンテンツを再生するコンテンツ再生部と、を備え、
前記送信指令部は、前記距離測定部の測定結果に応じて各ソース機器への送信指令を行うことを特徴とする再生機器。
【請求項２】
前記送信指令部は、離間距離が長いソース機器よりも離間距離が短いソース機器から提供されるコンテンツ数が多くなるように、各ソース機器に対し前記コンテンツの送信指令を行うことを特徴とする請求項１に記載の再生機器。
【請求項３】
前記送信指令部は、各ソース機器との離間距離の比率に応じて、各ソース機器が提供するコンテンツ数の比率を決定することを特徴とする請求項２に記載の再生機器。
【請求項４】
前記送信指令部は、前記複数のソース機器によるシャッフル再生を実現するために、決定した前記コンテンツ数の比率に応じて、各ソース機器に対しランダムに送信指令を行うことを特徴とする請求項３に記載の再生機器。
【請求項５】
前記コンテンツの再生操作を行うためのタッチパネルをさらに備え、
前記距離測定部は、前記各ソース機器との離間距離として、前記タッチパネルの中心位置と、前記タッチパネル上に配置された各ソース機器の基準位置との距離を測定することを特徴とする請求項１に記載の再生機器。
【請求項６】
前記受信部は、再生対象となるコンテンツの再生前に当該コンテンツに関連するコンテンツ画像を受信し、
前記タッチパネル上に、再生中のコンテンツに関する前記コンテンツ画像を表示するコンテンツ画像表示部をさらに備えたことを特徴とする請求項５に記載の再生機器。
【請求項７】
前記コンテンツ画像表示部は、再生中のコンテンツに関連する第１のコンテンツ画像の背面に、次に再生されるコンテンツに関連する第２のコンテンツ画像を表示することを特徴とする請求項６に記載の再生機器。
【請求項８】
前記コンテンツ再生部は、前記コンテンツの切替時にクロスフェード処理を行い、
前記コンテンツ画像表示部は、前記クロスフェード処理時において、前記第1のコンテンツ画像に対し前記第２のコンテンツ画像を覆い被せるようにして表示切替を行うことを特徴とする請求項７に記載の再生機器。
【請求項９】
請求項１ないし８のいずれか１項に記載の再生機器と、
複数の前記ソース機器と、を備えたことを特徴とする再生システム。
【請求項１０】
複数のソース機器と無線通信可能であり、各ソース機器から提供されたコンテンツを再生する再生機器の制御方法であって、
各ソース機器との離間距離を測定する距離測定ステップと、
前記距離測定ステップの測定結果に基づき、各ソース機器に対して前記コンテンツの送信指令を行う送信指令ステップと、
各ソース機器から送信された前記コンテンツを受信する受信ステップと、
受信した前記コンテンツを再生するコンテンツ再生ステップと、を実行し、
前記送信指令ステップは、前記距離測定ステップの測定結果に応じて各ソース機器への送信指令を行うことを特徴とする再生機器の制御方法。
【請求項１１】
コンピューターに、請求項１０に記載の再生機器の制御方法における各ステップを実行させるためのプログラム。
【発明の詳細な説明】
【技術分野】
【０００１】
本発明は、複数台のソース機器と無線通信可能であり、各ソース機器から提供されたコンテンツを再生する再生機器、再生システム、再生機器の制御方法およびプログラムに関する。
【背景技術】
【０００２】
従来、２台のポータブルオーディオプレーヤーを接続可能であり、各ポータブルオーディオプレーヤーから提供されたコンテンツを交互にシャッフル再生する再生機器が知られている（例えば、非特許文献１）。一方、ポータブルオーディオプレーヤーが、再生機器に対し無線通信を介してコンテンツを提供できることも一般に知られている。
【先行技術文献】
【特許文献】
【０００３】
【非特許文献１】http://pioneer.jp/ipod_sys/nac1/double_dock.html（パイオニア株式会社  ｉｐｏｄ（登録商標）スピーカーシステム  ＮＡＣ１  「ＤｏｕｂｌｅＤｏｃ」，「ＳＨＵＦＦＬＥ２」）
【発明の概要】
【発明が解決しようとする課題】
【０００４】
ところで、上記非特許文献１の再生機器は、２台のポータブルオーディオプレーヤーのシャッフル再生を行う場合、各ポータブルオーディオプレーヤーに記憶されているコンテンツを単に交互に再生しているだけである。また、ポータブルオーディオプレーヤーから無線通信を介してコンテンツを送信できる場合、各ユーザーがポータブルオーディオプレーヤーを所持して再生機器に近づくことで、シャッフル再生を実現可能である。ところが、各ユーザーの位置（再生機器と各ポータブルオーディオプレーヤーとの離間距離）を考慮して、各ポータブルオーディオプレーヤーに記憶されているコンテンツを再生するといった斬新な再生方法は未だ知られていない。
【０００５】
本発明は、無線通信を介して接続された各ソース機器との離間距離に応じて斬新な再生制御を行うことができる再生機器、再生システム、再生機器の制御方法およびプログラムを提供することを目的とする。
【課題を解決するための手段】
【０００６】
本発明の再生機器は、複数のソース機器と無線通信可能であり、各ソース機器から提供されたコンテンツを再生する再生機器であって、各ソース機器との離間距離を測定する距離測定部と、各ソース機器に対してコンテンツの送信指令を行う送信指令部と、各ソース機器から送信されたコンテンツを受信する受信部と、受信したコンテンツを再生するコンテンツ再生部と、を備え、送信指令部は、距離測定部の測定結果に応じて各ソース機器への送信指令を行うことを特徴とする。
【０００７】
本発明の再生機器の制御方法は、複数のソース機器と無線通信可能であり、各ソース機器から提供されたコンテンツを再生する再生機器の制御方法であって、各ソース機器との離間距離を測定する距離測定ステップと、各ソース機器に対してコンテンツの送信指令を行う送信指令ステップと、各ソース機器から送信されたコンテンツを受信する受信ステップと、受信したコンテンツを再生するコンテンツ再生ステップと、を実行し、送信指令ステップは、距離測定ステップの測定結果に応じて各ソース機器への送信指令を行うことを特徴とする。
【０００８】
これらの構成によれば、各ソース機器との離間距離に応じて、各ソース機器に対しコンテンツの送信指令を行うため、斬新な再生制御を実現できる。例えば、２台のソース機器と通信可能状態にある場合、離間距離が小さい方のソース機器に対してのみ送信指令を行う、離間距離が小さい方のソース機器に対して送信指令を行い、プレイリスト内の全ての楽曲再生が終わった時点で、離間距離が大きい方のソース機器に対して送信指令を行うなど、の再生制御が考えられる。
なお、「コンテンツ」とは、音声（楽曲）データ、映像データ、画像データ、テキストデータ等のデジタルデータ、並びにこれらの混合物を含む概念である。
また、再生機器とは、ホームオーディオ（自宅用スピーカー）やカーオーディオ（車内用スピーカー）などを指す。
また、「各ソース機器との離間距離」は、再生機器の基準位置と各ソース機器の基準位置間の距離として測定しても良い。例えば再生機器にソース機器を載置する載置台が設けられている場合であって載置台に基準位置が設けられている場合、載置台上における複数のソース機器の配置によって、異なる離間距離を測定しても良い。また、再生機器の筐体と各ソース機器の筐体間の距離（空間を介した距離）として測定しても良い。この場合は、再生機器にソース機器を載置する載置台が設けられている場合に、載置台上に配置された複数のソース機器は、いずれも離間距離ゼロとして（同じ離間距離として）測定する。
【０００９】
上記の再生機器において、送信指令部は、離間距離が長いソース機器よりも離間距離が短いソース機器から提供されるコンテンツ数が多くなるように、各ソース機器に対しコンテンツの送信指令を行うことを特徴とする。
【００１０】
この構成によれば、例えば再生機器にソース機器を載置する載置台が設けられている場合であって載置台に基準位置が設けられている場合、載置台上における複数のソース機器の配置を可変することで、再生するコンテンツ数を可変できる。
なお、「Ａソース機器よりもＢソース機器から提供されるコンテンツ数が多くなるように送信指令を行う」とは、Ａソース機器に対し１回分の送信指令を行い、その後Ｂソース機器に対し２回分の送信指令を行う、を再生終了指示があるまで交互に繰り返しても良いし、Ａソース機器に対し３回分の送信指令を行い、その後Ｂソース機器に対し５回分の送信指令を行って再生終了しても良い。つまり、ある所定回数分の再生において、Ａソース機器よりもＢソース機器のコンテンツ再生回数の割合が大きければ良い。
【００１１】
上記の再生機器において、送信指令部は、各ソース機器との離間距離の比率に応じて、各ソース機器が提供するコンテンツ数の比率を決定することを特徴とする。
【００１２】
この構成によれば、離間距離が長い／短いだけでなく、離間距離の比率に応じて、より斬新な再生制御を行うことができる。
【００１３】
上記の再生機器において、送信指令部は、複数のソース機器によるシャッフル再生を実現するために、決定したコンテンツ数の比率に応じて、各ソース機器に対しランダムに送信指令を行うことを特徴とする。
【００１４】
この構成によれば、各ソース機器との離間距離の比率に応じたシャッフル再生を実現できる。
【００１５】
上記の再生機器において、コンテンツの再生操作を行うためのタッチパネルをさらに備え、距離測定部は、各ソース機器との離間距離として、タッチパネルの中心位置と、タッチパネル上に配置された各ソース機器の基準位置との距離を測定することを特徴とする。
【００１６】
この構成によれば、コンテンツの再生操作を行うためのタッチパネル上にソース機器を配置してコンテンツを再生させることができる。つまり、アクセサリーをアクセサリートレイに載せる感覚で、ソース機器をタッチパネルに載せて使用することができる。
【００１７】
上記の再生機器において、受信部は、再生対象となるコンテンツの再生前に当該コンテンツに関連するコンテンツ画像を受信し、タッチパネル上に、再生中のコンテンツに関するコンテンツ画像を表示するコンテンツ画像表示部をさらに備えたことを特徴とする。
【００１８】
この構成によれば、例えば再生中の楽曲のアルバムアートワークを表示するなど、再生中のコンテンツに関連するコンテンツ画像を、視覚情報としてユーザーに伝えることができる。
なお、コンテンツ画像の受信は、再生機器とソース機器との通信確率時であっても良いし、コンテンツ再生直前のタイミングでも良い。
【００１９】
上記の再生機器において、コンテンツ画像表示部は、再生中のコンテンツに関連する第１のコンテンツ画像の背面に、次に再生されるコンテンツに関連する第２のコンテンツ画像を表示することを特徴とする。
【００２０】
この構成によれば、再生中のコンテンツと、次に再生されるコンテンツのコンテンツ画像を、視覚情報としてユーザーに伝えることができる。
【００２１】
上記の再生機器において、コンテンツ再生部は、コンテンツの切替時にクロスフェード処理を行い、コンテンツ画像表示部は、クロスフェード処理時において、第1のコンテンツ画像に対し第２のコンテンツ画像を覆い被せるようにして表示切替を行うことを特徴とする。
【００２２】
この構成によれば、コンテンツの切り替わり（クロスフェード処理）を、直感的に分かりやすくユーザーに伝えることができる。
【００２３】
本発明の再生システムは、上記の再生機器と、複数のソース機器と、を備えたことを特徴とする。
【００２４】
本発明のプログラムは、コンピューターに、上記の再生機器の制御方法における各ステップを実行させることを特徴とする。
【００２５】
これらの構成によれば、無線通信を介して接続された各ソース機器との離間距離に応じて斬新な再生制御を行うことができる再生システムおよび再生機器の制御方法を実現できる。
【図面の簡単な説明】
【００２６】
【図１】本発明の一実施形態に係る再生システムのシステム構成図である。
【図２】ソース機器の外観斜視図である。
【図３】ソース機器の正面図および側面図である。
【図４】ホームオーディオの外観斜視図である。
【図５】ホームオーディオの正面図および側面図である。
【図６】カーオーディオの正面図である。
【図７】ホームオーディオ、カーオーディオおよびソース機器の表示例を示す図である。
【図８】ソース機器およびヘッドホンの制御ブロック図である。
【図９】ホームオーディオおよびカーオーディオの制御ブロック図である。
【図１０】第１実施形態に係る再生システムの機能ブロック図である。
【図１１】音量調整・電源制御の説明図である。
【図１２】第１実施形態に係る音量調整・電源制御を示すフローチャートである。
【図１３】第１実施形態の変形例を示すフローチャートである。
【図１４】第２実施形態に係る再生システムの機能ブロック図である。
【図１５】タッチパネル上における再生操作領域の配置例を示す図である。
【図１６】再生操作領域内における情報表示領域の配置例を示す図である。
【図１７】再生操作領域内における操作子群および再生情報の表示例を示す図である。
【図１８】再生操作領域内における操作子群および再生情報の他の表示例を示す図である。
【図１９】第２実施形態の変形例を示す図である。
【図２０】第３実施形態に係る再生システムの機能ブロック図である。
【図２１】再生比率テーブルの一例を示す図および、タッチパネル上における２台のソース機器の配置例を示す図である。
【図２２】コンテンツ画像の表示切替を示す図である。
【図２３】第３実施形態の変形例を示す図である。
【発明を実施するための形態】
【００２７】
以下、本発明の第１実施形態〜第３実施形態について、添付図面を参照しながら説明する。本実施形態では、ユーザーがどこに居ても音楽を楽しめるように構成された複数のオーディオ機器から成る再生システムＳＹを例示する。なお、第１実施形態では、音量調整・電源制御（図１０〜図１３）、第２実施形態では、ユーザーインターフェース（図１４〜図１９）、第３実施形態では、シャッフル再生（図２０〜図２３）に関する内容を、それぞれ中心に説明する。まず、図１〜図９を参照し、各実施形態に共通する事項について説明する。
【００２８】
[共通実施形態]
図１は、再生システムＳＹのシステム構成図である。再生システムＳＹは、ソース機器１０（ポータブルオーディオプレーヤー）、ヘッドホン２０、ホームオーディオ３０（自宅用スピーカー）およびカーオーディオ４０（車内用スピーカー）から成る。このうち、ヘッドホン２０、ホームオーディオ３０およびカーオーディオ４０が、請求項の「再生機器」に相当する。
【００２９】
ソース機器１０は、各再生機器（ヘッドホン２０、ホームオーディオ３０およびカーオーディオ４０）に対して音楽コンテンツを提供するものであり、各再生機器は無線通信（Bluetooth（登録商標）通信など）を介して通信可能となっている。ユーザーは、ソース機器１０を携行することで、外出先ではヘッドホン２０により音楽を再生させる。また、自宅内ではホームオーディオ３０により音楽を再生させ、自家用車の中ではカーオーディオ４０により音楽を再生させる。このように、ソース機器１０を中心とし、様々なシーンに対応した再生機器を組み合わせることで、各ユーザーが、ソース機器１０に格納した自分の好みの楽曲をいつでもどこでも楽しめるようになっている。
【００３０】
次に、図２ないし図６を参照し、各オーディオ機器の構造について説明する。図２および図３は、ソース機器１０の構造図である。ソース機器１０は、片手でハンドリング可能な機器本体６１と、機器本体６１の右部に配置した回転操作用のリング操作部１２と、機器本体６１の外周面に設けたイルミネーション部６３と、を備えている。機器本体６１は、表裏を有する長円形の扁平な筐体６５と、筐体６５の表面の左部に大きく設けたタッチパネル１４とで構成されている。筐体６５には、右側端の外観を構成する半円部と同心となるように開口部６５ａが形成され、この開口部６５ａに嵌め込むようにして、リング操作部１２が配設されている。また、筐体６５には、円弧状断面の外周面における上下中間部に環状溝６５ｂが形成されており、この環状溝６５ｂに嵌め込むようにして、イルミネーション部６３が配設されている。イルミネーション部６３は、発光ダイオードのアレイを内蔵したイルミネーション照明で構成されている。このように、ソース機器１０の外観は、片手で違和感無くハンドリングできると共に、円を基調とする丸みを強調したデザインとなっている。
【００３１】
リング操作部１２は、メタリックの円環状に形成された操作リング６９と、操作リング６９に内蔵された静電センサー（図示省略）とで構成され、機器本体６１の表側および裏側から操作可能に構成されている。ユーザーは、機器本体６１を片手でハンドリング（把持）し、親指または人差し指を操作リング６９に宛がい、その内周面をなぞるようにして操作する。この場合、操作リング６９は半円形の凸部となっており、親指または人差し指の膨らみ部分（指の腹）を接触させて操作することになる。一方、静電センサーは、操作リング６９の内周面において、親指または人差し指の接触点を連続的に検出し、その検出結果を後述する制御部１１に出力する。また、リング操作部１２の中心部分には、機器本体６１を表裏に貫通する貫通開口７１が形成されており、この貫通開口７１により、ソース機器１０が、不図示のリストバンドやステアリングホルダーに装着できるようになっている。
【００３２】
次に、図４および図５を参照し、ホームオーディオ３０の構造について説明する。ホームオーディオ３０は、ソース機器１０とリンクするコンテンツ再生部８１と、コンテンツ再生部８１の出力部を構成するスピーカー部８２と、コンテンツ再生部８１およびスピーカー部８２を下側から支持するように収容する装置ケース８３と、装置ケース８３が着座する台座部８４と、で構成されている。また、スピーカー部８２には、左右一対のスピーカー３６が内蔵されている。また、コンテンツ再生部８１、スピーカー部８２および装置ケース８３は、一体に形成され、ＤＪ機器のターンテーブルをイメージしたデザインとなっている。
【００３３】
コンテンツ再生部８１は、上方から見て長円形に形成され、スピーカー部８２は、コンテンツ再生部８１を同一の中心軸上に内包するように、上方から見て長円形に形成されている。また、コンテンツ再生部８１の上面は、平坦なタッチパネルＴＰで構成される一方、スピーカー部８２の上面は、平坦な上出力面８２ａを構成している。そして、コンテンツ再生部８１の上面（タッチパネルＴＰの上面）と、スピーカー部８２の上面（上出力面８２ａ）とは、ほぼ面一に配置されている。
【００３４】
コンテンツ再生部８１は、上面全域が長円形のタッチパネルＴＰで構成されており、タッチパネルＴＰには、その右寄りの部分に位置して、ソース機器１０のリング操作部１２と同一形状のサブ操作部Ｓ１が埋め込むように配設されている。ソース機器１０は、ホームオーディオ３０に所定の距離近付けることにより通信可能となるが、タッチパネルＴＰ上に載置して通信を行う基本仕様となっている。
【００３５】
図６は、カーオーディオ４０の正面図である。カーオーディオ４０は、自動車のダッシュボードに埋め込まれており、長円形に突出した突出パネル部９２を有するフロントパネル９１を備えている。突出パネル部９２には、ソース機器１０が装着されるドック９３が窪入形成されている。ドック９３は、ソース機器１０が嵌まり込むようにソース機器１０の外観形状と相補的形状に形成されている。また、ドック９３には、ソース機器１０の貫通開口７１が係合する円形の突部９４が形成されている。さらに、突出パネル部９２には、ドック９３を除く部分に、ディスプレイ４２が設けられている。
【００３６】
この場合も、ソース機器１０は、カーオーディオ４０に対して所定の距離近付けることにより通信可能となるが、フロントパネル９１のドック９３に装着して通信を行う基本仕様となっている。ソース機器１０のドック９３への装着は、貫通開口７１を円形の突部９４に位置合わせし、ソース機器１０の表面が正面を向いた状態で嵌め込まれる。
【００３７】
次に、図７を参照し、ホームオーディオ３０、カーオーディオ４０およびソース機器１０の表示項目について説明する。図７（ａ）は、ホームオーディオ３０に備えられたタッチパネルＴＰの表示例を示す図である。同図に示すように、ソース機器１０が配置されると、ホームオーディオ３０（再生機器）は、その配置位置を中心に、再生操作領域ＥＰを表示する。同図の例では、２台のソース機器１０が配置されているため、２つの再生操作領域ＥＰが表示されている。このうち、再生中のソース機器１０に対応する再生操作領域ＥＰ（図示左側）内には、再生中の楽曲のアーティスト名やタイトル名などの再生情報Ｇ１、再生操作を行うための操作子群Ｇ２、音量調整を行うための音量操作子Ｇ３を表示する。また、２つの再生操作領域ＥＰの重複領域ＥＰＷには、再生中のコンテンツおよび次に再生されるコンテンツに関連するコンテンツ画像Ｇ４（楽曲のアルバムアートワークなど）を表示する。
【００３８】
図７（ｂ）は、カーオーディオ４０に備えられたディスプレイ４２の表示例を示す図である。ディスプレイ４２には、再生中の楽曲のアーティスト名やタイトル名などの再生情報Ｇ１、再生中のコンテンツおよび次に再生されるコンテンツに関連するコンテンツ画像Ｇ４を表示する。なお、カーオーディオ４０のディスプレイ４２をタッチパネルで構成することにより、ホームオーディオ３０に表示される他の項目（操作子群Ｇ２および音量操作子Ｇ３）を表示可能としても良い。また、タッチパネルＴＰの表示項目の詳細やコンテンツ画像Ｇ４の切替については、第２実施形態および第３実施形態にて後述する。
【００３９】
図７（ｃ）は、ソース機器１０に備えられたタッチパネル１４の表示例を示す図である。タッチパネル１４には、再生中の楽曲のアーティスト名やタイトル名などの再生情報Ｇ１、再生操作を行うための操作子群Ｇ２、再生中のコンテンツに関連するコンテンツ画像Ｇ４を表示する。なお、カーオーディオ４０等と同様に、次に再生されるコンテンツに関連するコンテンツ画像を表示しても良い。また、操作子群Ｇ２はコンテンツ画像Ｇ４に重畳表示される。なお、ソース機器１０がホームオーディオ３０のタッチパネルＴＰ上に配置されている場合であって、ソース機器１０が再生中の場合は、ソース機器１０に表示されている操作子群Ｇ２およびホームオーディオ３０に表示されている操作子群Ｇ２のいずれによっても操作が可能である。
【００４０】
次に、図８および図９を参照し、各オーディオ機器の制御構成について説明する。図８（ａ）は、ソース機器１０の制御ブロック図である。ソース機器１０は、制御部１１、リング操作部１２、メモリー１３、タッチパネル１４、電源部１５および無線通信部１６を備え、これらはバスＢ１を介して接続されている。また、ソース機器１０は、ＲＦＩＤ（Radio  Frequency  Identification，無線ＩＣタグ）１７を備えている。ＲＦＩＤ１７は、ホームオーディオ３０またはカーオーディオ４０によって、ソース機器１０との離間距離を測定するために用いられる。
【００４１】
制御部１１は、ＣＰＵ（Central  Processing  Unit）、ＲＯＭ（Read  Only  Memory）、ＲＡＭ（Random  Access  Memory）等から成り（いずれも図示省略）、ソース機器１０内の各部を制御する。リング操作部１２は、静電センサーが組み込まれ、ＢＰＭや曲調を変更するために用いられる。メモリー１３は、コンテンツ情報および設定情報を記憶する。コンテンツ情報としては、楽曲データそのものを指すコンテンツと、その付随情報を記憶する。付随情報とは、楽曲データの解析情報（ＢＰＭ、ＫＥＹ、ジャンル情報など）やメタ情報（アーティスト名、タイトル名、アルバム名、アルバムアートワークなど）を指す。一方、設定情報としては、各種オーディオ設定（イコライザーカーブ、複数スピーカーの音量バランス、再生方法（繰り返し再生、ランダム再生など）、カットオフ周波数などを指す。
【００４２】
タッチパネル１４は、再生中のコンテンツについて、再生情報Ｇ１、操作子群Ｇ２およびコンテンツ画像Ｇ４を表示する（図７（ｃ）参照）。電源部１５は、二次電池を主要部とし、ソース機器１０内の各部に電力を供給する。また、電源部１５は、ソース機器１０がホームオーディオ３０の上に載置されるか、またはカーオーディオ４０のドックに装着されることにより充電される。無線通信部１６は、無線通信を介し、各再生機器（ヘッドホン２０、ホームオーディオ３０、カーオーディオ４０）と情報の授受を行う。なお、ソース機器１０から各再生機器への音声信号（楽曲データ）の出力は、アナログ信号として出力しても良いし、デジタル信号として出力しても良い。
【００４３】
図８（ｂ）は、ヘッドホン２０の制御ブロック図である。ヘッドホン２０は、制御部２１、リング操作部２２、ＤＳＰ（Digital  Signal  Processor）２３、アンプ２４、スピーカー２５、無線通信部２６および電源部２７を備え、これらはバスＢ２を介して接続されている。
【００４４】
制御部２１は、ＣＰＵ、ＲＯＭ、ＲＡＭ等から成り、ヘッドホン２０内の各部を制御する。リング操作部２２は、片側スピーカー２５の出力面裏側に設けられ、ソース機器１０のリング操作部１２と同様の構成および機能を有する。ＤＳＰ２３は、音声信号処理を行うマイクロプロセッサーであり、ソース機器１０から圧縮された楽曲データが転送された場合、これをデコードするデコード処理および、楽曲の切替時におけるクロスフェード処理などを行う。アンプ２４は、ＤＳＰ２３による音声処理後の音声信号を増幅する。スピーカー２５は、両耳用の２個の小型スピーカーから成り、増幅後の音声信号を出力する。無線通信部２６は、無線通信を介し、ソース機器１０および他の再生機器（ホームオーディオ３０、カーオーディオ４０）と情報の授受を行う。電源部２７は、乾電池を主要部とし、ヘッドホン２０内の各部に電源を供給する。
【００４５】
図９（ａ）は、ホームオーディオ３０の制御ブロック図である。ホームオーディオ３０は、制御部３１、タッチパネルＴＰ、ＲＦＩＤ読取部３３、ＤＳＰ３４、アンプ３５、スピーカー３６、電源部３７、無線通信部３８および充電部３９を備え、これらはバスＢ３を介して接続されている。
【００４６】
制御部３１は、ＣＰＵ、ＲＯＭ、ＲＡＭ等から成り、ホームオーディオ３０内の各部を制御する。タッチパネルＴＰは、ソース機器１０が載置された場合に（ソース機器１０との通信可能状態において）、再生操作領域ＥＰ、再生情報Ｇ１、操作子群Ｇ２、音量操作子Ｇ３、コンテンツ画像Ｇ４などを表示する（図７（ａ）参照）。なお、タッチパネルＴＰ上に設けられたサブ操作部Ｓ１は、再生中のソース機器１０を操作するものであり、ソース機器１０のリング操作部１２と同様の構成および機能を有する。
【００４７】
ＲＦＩＤ読取部３３は、ソース機器１０に設けられたＲＦＩＤ１７を読み取る。なお、ＲＦＩＤ読取部３３は、ホームオーディオ３０の主電源ＯＦＦの状態であっても副電源により読み取りが可能である。ＤＳＰ３４は、デコード処理およびクロスフェード処理などの音声信号処理を行い、アンプ３５は、ＤＳＰ３４による音声処理後の音声信号を増幅する。スピーカー３６は、２個の無指向性平面スピーカーから成り、増幅後の音声信号を出力する。電源部３７は、ＡＣ電源５６から電源供給を受け、ホームオーディオ３０内の各部に電力を供給する。
【００４８】
無線通信部３８は、ソース機器１０およびヘッドホン２０と情報の授受を行う。充電部３９は、ソース機器１０に対し電磁誘導により非接触充電を行う。特に図示しないが、複数個の電源コイルアレイが、タッチパネルＴＰの裏側に設けられおり、ソース機器１０の配置に応じて、各電源コイルアレイが適切な場所に移動する（ムービングコイル方式）。これにより、複数台の同時充電が可能であると共に、ソース機器１０の配置自由度を高めることができる（タッチパネルＴＰ上であればどこにソース機器１０が配置されても充電を行うことができる）。
【００４９】
図９（ｂ）は、カーオーディオ４０の制御ブロック図である。カーオーディオ４０は、制御部４１、ディスプレイ４２、ＲＦＩＤ読取部４３、ＤＳＰ４４、アンプ４５、音声出力部４６、電源部４７、無線通信部４８および充電部４９を備え、これらはバスＢ４を介して接続されている。
【００５０】
制御部４１は、ＣＰＵ、ＲＯＭ、ＲＡＭ等から成り、カーオーディオ４０内の各部を制御する。ディスプレイ４２は、ソース機器１０との通信時（コンテンツ再生時）に、再生情報Ｇ１およびコンテンツ画像Ｇ４を表示する（図７（ｂ）参照）。ＲＦＩＤ読取部４３は、ソース機器１０に設けられたＲＦＩＤ１７を読み取る。なお、ホームオーディオ３０と同様に、カーオーディオ４０が電源ＯＦＦ状態であっても読み取り可能とする。ＤＳＰ４４は、音声信号処理を行い、アンプ４５は、ＤＳＰ４４による音声処理後の音声信号を増幅する。音声出力部４６は、増幅後の音声信号を、車内の数箇所に配置された各スピーカー５７に出力する。電源部４７は、バッテリー電源５８から電源供給を受け、カーオーディオ４０内の各部に電力を供給する。
【００５１】
無線通信部４８は、ソース機器１０およびヘッドホン２０と情報の授受を行う。また、リモコン５９からの操作信号を受信する。なお、リモコン５９からは赤外線通信により操作信号を受信しても良い。充電部４９は、ソース機器１０に対し電磁誘導により非接触充電を行う。特に図示しないが、カーオーディオ４０のドック９３の裏側には、１個の電源コイルアレイが固定配置されている。なお、カーオーディオ４０も、ホームオーディオ３０と同様に複数台の同時充電を可能としても良い。当該構成については、第２実施形態の変形例として後述する（図１９参照）。
【００５２】
[第１実施形態]
次に、図１０〜図１３を参照し、第１実施形態（音量調整・電源制御）について説明する。図１０は、第１実施形態に係る再生システムＳＹの機能ブロック図である。なお、同図では、ソース機器１０、ヘッドホン２０およびホームオーディオ３０の構成を示しているが、ホームオーディオ３０の各機能は、カーオーディオ４０にも適用可能である。
【００５３】
ソース機器１０は、主な機能構成として、コンテンツ記憶部１１０、設定情報記憶部１２０および送信部１３０を備えている。このうち、コンテンツ記憶部１１０および設定情報記憶部１２０は、メモリー１３を主要部とし、送信部１３０は、無線通信部１６を主要部とする。
【００５４】
コンテンツ記憶部１１０は、多数の楽曲についてコンテンツ情報（コンテンツおよび付随情報）を記憶する。また、設定情報記憶部１２０は、各種オーディオ設定情報を記憶する。なお、これらコンテンツ情報および設定情報は、不揮発且つ書換可能に記憶されている。送信部１３０は、コンテンツ情報および設定情報を、ホームオーディオ３０（第１の再生機器）に送信する。
【００５５】
ホームオーディオ３０は、主な機能構成として、距離測定部３１０、電源制御部３２０、受信部３３０、コンテンツ再生部３４０、判別部３５０、レベル調整部３６０、レベル調整指令部３７０、電源ＯＦＦ指令部３８０、設定変更部３９０、設定情報書換部４１０および充電制御部４２０を備えている。このうち、距離測定部３１０は、ＲＦＩＤ読取部３３を主要部とし、受信部３３０は、無線通信部３８を主要部とする。また、電源制御部３２０、判別部３５０、レベル調整部３６０、レベル調整指令部３７０、電源ＯＦＦ指令部３８０および設定情報書換部４１０は、制御部３１を主要部とする。また、コンテンツ再生部３４０は、ＤＳＰ３４、アンプ３５およびスピーカー３６を主要部とし、設定変更部３９０は、タッチパネルＴＰおよび付属の操作部（図示省略）を主要部とする。また、充電制御部４２０は、充電部３９を主要部とする。
【００５６】
距離測定部３１０は、ＲＦＩＤ読取部３３によりソース機器１０に設けられたＲＦＩＤ１７を読み取ることにより、自機器（ホームオーディオ３０）とソース機器１０との離間距離Ｌｈを測定する。図１１は、ソース機器１０とヘッドホン２０を携行しているユーザーが、外出先から自宅に戻り、ホームオーディオ３０に近づいていく過程において実行される音量調整・電源制御を示す説明図である。同図において、ソース機器１０とヘッドホン２０は通信状態にあるものとする。
【００５７】
同図に示すように、電源制御部３２０は、自機器の主電源がＯＦＦ状態（待機モード）において、距離測定部３１０により、ソース機器１０が所定距離ＬＸまで接近したことを検出した場合（離間距離Ｌｈ≦所定距離ＬＸを検出した場合）、自機器の主電源をＯＮする（通常モード）。なお、当該電源ＯＮ制御は、ソース機器１０と通信可能な場合のみ行っても良い。例えば、ソース機器１０が電源ＯＦＦ状態の場合は、離間距離Ｌｈ≦所定距離ＬＸを検出した場合でも、電源ＯＮ制御を行わない構成としても良い。なお、待機モードとは、距離測定部３１、ＲＦＩＤ読取部３３、制御部４１の一部を起動させている状態のことで、通常モードとは、他の構成を起動させている状態のことである。
【００５８】
受信部３３０は、ソース機器１０からコンテンツ情報および設定情報を受信する。なお、コンテンツ情報のうち、コンテンツそのものはホームオーディオ３０からの送信指令にしたがって受信し、設定情報およびコンテンツの付随情報は、ソース機器１０との通信確率時に受信する。但し、付随情報については、タイトル名などプレイリスト作成に必要なデータのみを通信確率時に受信しておき、コンテンツ画像など比較的容量の大きいデータについては、２曲前の楽曲再生開始時など、ホームオーディオ３０からの送信指令にしたがって随時受信する構成としても良い。コンテンツ再生部３４０は、受信したコンテンツを再生する（音声出力する）。
【００５９】
判別部３５０は、電源制御部３２０による電源ＯＮ時に、ヘッドホン２０（第２の再生機器）が無線通信可能であるか否かを判別する。なお、当該判別は、無線通信部２６，３８による通信によって判別するため、ヘッドホン２０が無線通信範囲内に存在しない場合または、ヘッドホン２０が電源ＯＦＦ状態である場合、無線通信不可能と判定する。レベル調整部３６０は、判別部３５０により「無線通信可能」と判定された場合、自機器とソース機器１０との離間距離Ｌｈに応じて、自機器の出力レベルを調整する。具体的には、離間距離Ｌｈが小さくなるにつれて、徐々に音量が大きくなるように音量調整を行う。なお、レベル調整部３６０は、図１１に示すように、ソース機器１０が所定距離ＬＹ（但し、ＬＹ＜ＬＸ）内に接近するまで（所定距離ＬＸ≦離間距離Ｌｈ＜所定距離ＬＹの場合）は、音量を０（ゼロ）とする。その後、ソース機器１０が所定距離ＬＺ（但し、ＬＺ＜ＬＹ）内に接近するまで（所定距離ＬＹ≦離間距離Ｌｈ＜所定距離ＬＺの場合）、音量調整を行う。
【００６０】
レベル調整指令部３７０は、判別部３５０により「無線通信可能」と判定された場合、ヘッドホン２０に対し、自機器とソース機器１０との離間距離Ｌｈに応じて、レベル調整を指令する。具体的には、離間距離Ｌｈが小さくなるにつれて、徐々に音量が小さくなるように音量調整指令を行う。なお、ヘッドホン２０への音量調整指令も、自機器の音量調整と同様に、所定距離ＬＹ≦離間距離Ｌｈ＜所定距離ＬＺの範囲内で行う。電源ＯＦＦ指令部３８０は、自機器と前記ソース機器との距離が所定距離ＬＺまで接近した時点で、ヘッドホン２０に対し、電源ＯＦＦ指令を行う（図１１参照）。
【００６１】
設定変更部３９０は、ソース機器１０と無線通信可能な状態において、コンテンツの再生に係る設定変更（高域・中域・低域など周波数帯域ごとのレベル調整など）を行う。当該設定変更は、タッチパネルＴＰに表示されたメニュー画面、若しくは付属の操作部（リモコン）などを用いて行われる。また、設定変更は、リアルタイムに再生に反映される。設定情報書換部４１０は、設定変更部３９０の変更に応じて、ソース機器１０の設定情報記憶部１２０内の設定情報を書き換える。なお、設定変更時に、設定情報記憶部１２０内の書き換えを行うか否かの選択肢を表示し、「書き換えを行う」が選択された場合のみ、設定情報記憶部１２０内の書き換えを行う構成としても良い。
【００６２】
充電制御部４２０は、距離測定部３１０の測定結果に基づき、ソース機器１０が所定距離Ｌ０（但し、０≦Ｌ０＜ＬＸ）まで接近したことを検出した場合、当該ソース機器１０に対し、非接触充電を行う。なお、本実施形態では、所定距離Ｌ０≒０とし、タッチパネルＴＰ上にソース機器１０が配置されたときに充電を開始する（図１１参照）。また、充電制御部４２０は、Ｎ台（但し、Ｎ≧２となる整数）のソース機器１０に対し同時充電が可能であり、Ｍ台（但し、Ｍ＞Ｎとなる整数）のソース機器１０が所定距離Ｌ０内に存在する場合、距離測定部３１０により測定された各ソース機器１０との距離に応じて、充電優先度を決定する。例えば、ホームオーディオ３０が２台の電源コイルアレイを有している場合であって、２台のソース機器１０がタッチパネルＴＰ上に配置されている場合は、２台同時に充電を行う。但し、３台以上のソース機器１０がタッチパネルＴＰ上に配置されている場合は、ホームオーディオ３０の基準位置（例えば、タッチパネルＴＰの中心位置）と各ソース機器１０の基準位置（例えば、ソース機器１０の重心位置）との距離が短い２台を先に充電し、その後残りの１台を充電する。なお、ソース機器１０の基準位置は、タッチパネルＴＰの検出結果（ソース機器１０の配置領域判定結果）に基づいて判定しても良いし、ＲＦＩＤ１７の読取結果に基づいて判定しても良い。
【００６３】
一方、ヘッドホン２０は、主な機能構成として、受信部２１０、コンテンツ再生部２２０、レベル調整部２３０および電源制御部２４０を備えている。このうち受信部２１０は、無線通信部２６を主要部とし、コンテンツ再生部２２０は、ＤＳＰ２３、アンプ２４およびスピーカー２５を主要部とする。また、レベル調整部２３０および電源制御部２４０は、制御部２１を主要部とする。
【００６４】
受信部２１０およびコンテンツ再生部２２０は、ホームオーディオ３０の受信部３３０およびコンテンツ再生部３４０と同様に機能する。レベル調整部２３０は、ホームオーディオ３０（レベル調整指令部３７０）からの指令に従い、自機器（ヘッドホン２０）のレベル調整を行う。具体的には、ホームオーディオ３０から、ホームオーディオ３０とソース機器１０との離間距離Ｌｈに応じた音量指定値が送信され、当該音量指定値となるように音量を調整する。また、電源制御部２４０は、ホームオーディオ３０（電源ＯＦＦ指令部３８０）からの指令に従い、自機器を電源ＯＦＦにする。なお、レベル調整部２３０および電源制御部２４０は、カーオーディオ４０からも、同様の指令を受けて動作する。つまり、ソース機器１０とヘッドホン２０を携行しているユーザーが自家用車に乗り、カーオーディオ４０に近づいていく過程において、図１１に示すような音量調整・電源制御が実行される。但し、ホームオーディオ３０における所定距離ＬＸ，ＬＹ，ＬＺ，Ｌ０と、カーオーディオ４０における所定距離ＬＸ，ＬＹ，ＬＺ，Ｌ０は、それぞれ独立した値が設定される。
【００６５】
次に、図１２のフローチャートを参照し、第１実施形態に係る音量調整・電源制御の流れについて説明する。ホームオーディオ３０（カーオーディオ４０）は、ソース機器１０との離間距離Ｌｈを測定し（Ｓ１１）、ソース機器１０が所定距離ＬＸまで接近したか否かを判別する（Ｓ１２）。ソース機器１０が所定距離ＬＸまで接近したと判定した場合は（Ｓ１２：Ｙｅｓ）、自機器の主電源が電源ＯＦＦ状態であるか否かを判別し（Ｓ１３）、電源ＯＦＦ状態である場合は（Ｓ１３：Ｙｅｓ）、自機器の主電源をＯＮにする（Ｓ１４）。
【００６６】
続いて、ヘッドホン２０が無線通信可能範囲に存在するか否かを判別し（Ｓ１５）、存在しない場合は（Ｓ１５：Ｎｏ）、処理を終了する。また、存在する場合は（Ｓ１５：Ｙｅｓ）、ソース機器１０との離間距離Ｌｈを測定し（Ｓ１６）、ソース機器１０が所定距離ＬＹまで接近したか否かを判別する（Ｓ１７）。ソース機器１０が所定距離ＬＹまで接近したと判定した場合は（Ｓ１７：Ｙｅｓ）、所定距離ＬＹに応じて自機器の音量調整を行う（Ｓ１８）と共に、所定距離ＬＹに応じてヘッドホン２０への音量調整指令を行う（Ｓ１９）。ヘッドホン２０は、当該音量調整指令に従い、自機器の音量調整を行う（Ｓ２０）。
【００６７】
その後、さらにソース機器１０が所定距離ＬＺまで接近したか否かを判別し（Ｓ２１）。所定距離ＬＺまで接近したと判定した場合は（Ｓ２１：Ｙｅｓ）、ヘッドホン２０への電源ＯＦＦ指令を行う（Ｓ２２）。ヘッドホン２０は、当該電源ＯＦＦ指令に従い、自機器の電源をＯＦＦする（Ｓ２３）。
【００６８】
以上説明したとおり、本実施形態によれば、ホームオーディオ３０が、ソース機器１０との離間距離Ｌｈに応じて再生中のコンテンツの音量調整を行うため、ソース機器１０を携行するユーザーがホームオーディオ３０に近づいたときに、急に音量が大きくなることを防止できる。また、ソース機器１０とホームオーディオ３０だけでなく、さらにヘッドホン２０が存在する状況では、ユーザーがホームオーディオ３０に近づくにつれて、徐々にヘッドホン２０の音量が下がり、逆にホームオーディオ３０の音量が上がるため、シームレスな音楽再生を実現できる。つまり、２台の再生機器の音量調整により、音声出力先の再生機器を自動的に切り替える際の違和感を解消できる。
【００６９】
また、ホームオーディオ３０は、ソース機器１０がある一定の距離に近づいた時点で自動的に電源ＯＮするため、ユーザーが電源操作する手間を省くことができ、よりシームレスな音楽再生を実現できる。また、電源ＯＮ後、音量調整開始（増加開始）までに距離（所定距離ＬＸ−所定距離ＬＹ）を設けることで、ホームオーディオ３０の主電源ＯＮ後の初期化に時間を要する場合でも急に音量が大きくなってしまうといった問題を解消できる。さらに、ホームオーディオ３０とソース機器１０の離間距離ＬｈがＬＺまで接近した場合は、ヘッドホン２０の電源をＯＦＦするため、自宅に帰ってヘッドホン２０が不要になったときに、ヘッドホン２０の電源をＯＦＦする手間を省くことができる。
【００７０】
また、ホームオーディオ３０は、設定情報を書き換え、その書換結果をソース機器１０に反映させることができる。これにより、ユーザーの好みを反映した設定情報をソース機器１０に記憶させて携行することができ、ひいてはどの再生機器で再生した場合でも、ユーザーの好みを反映させることができる。当然、ヘッドホン２０でも、ソース機器１０に記憶されている設定情報を読み取り、当該設定情報にしたがってコンテンツ再生を行うことが可能である。
【００７１】
また、ホームオーディオ３０は、複数台のソース機器１０に対する同時充電が可能であるため、ソース機器１０が２台以上の場合、充電時間を短縮できる。さらに、同時充電可能な台数を超えたソース機器１０がタッチパネルＴＰ上に載置されている場合は、各ソース機器１０との離間距離Ｌｈに応じて充電優先度を決定するため、先に充電を行いたいソース機器１０を、ホームオーディオ３０の基準位置近くに配置するなど、ユーザーの意思によって充電順序を変更できる。
【００７２】
なお、音量調整・電源制御の変形例として、以下の構成が考えられる。変形例に係るレベル調整指令部３７０は、ヘッドホン２０と無線通信可能である場合、自機器とソース機器１０との離間距離Ｌｈが所定距離ＬＹまで接近した時点で、当該ヘッドホン２０に対し、出力レベルを徐々に小さくするようにレベル調整を指令する。また、変形例に係る電源ＯＦＦ指令部３８０は、レベル調整指令部３７０の指令に従ったレベル調整後、電源をＯＦＦするように指令する。一方、変形例に係るレベル調整部３６０は、ヘッドホン２０と無線通信可能である場合、自機器とソース機器１０との離間距離Ｌｈが所定距離ＬＹまで接近した時点で、自機器の出力レベルを徐々に大きくする。ここで、図１３のフローチャートを参照し、当該変形例の流れについて説明する。
【００７３】
ホームオーディオ３０（カーオーディオ４０）は、ソース機器１０との離間距離Ｌｈを測定し（Ｓ３１）、ソース機器１０が所定距離ＬＸまで接近したか否かを判別する（Ｓ３２）。ソース機器１０が所定距離ＬＸまで接近したと判定した場合は（Ｓ３２：Ｙｅｓ）、自機器の主電源が電源ＯＦＦ状態であるか否かを判別し（Ｓ３３）、電源ＯＦＦ状態である場合は（Ｓ３３：Ｙｅｓ）、自機器の主電源をＯＮにする（Ｓ３４）。
【００７４】
続いて、ヘッドホン２０が無線通信可能範囲に存在するか否かを判別し（Ｓ３５）、存在する場合は（Ｓ３５：Ｙｅｓ）、ソース機器１０との離間距離Ｌｈを測定し（Ｓ３６）、ソース機器１０が所定距離ＬＹまで接近したか否かを判別する（Ｓ３７）。ソース機器１０が所定距離ＬＹまで接近したと判定した場合は（Ｓ３７：Ｙｅｓ）、自機器の音量を徐々に上げる（Ｓ３８）。つまり、音量値Ａから音量値Ｂまで所定時間をかけてレベルを上げていく。一方、ヘッドホン２０への音量調整指令および電源ＯＦＦ指令を行う（Ｓ３９）。ヘッドホン２０は、当該音量調整指令および電源ＯＦＦ指令に従い、自機器の音量を徐々に下げ、その後電源をＯＦＦする（Ｓ４０）。つまり、ホームオーディオ３０から指定された音量指定値Ａから音量指定値Ｂ（例えば、音量０）まで所定時間をかけてレベルを下げ、その後電源を切断する。このように変形例によれば、２つの再生機器が存在する状況で、シームレスな音楽再生をより簡単な制御で実現できる。
【００７５】
その他、以下の変形例を採用可能である。例えば、上記の実施形態において電源制御部３２０は、ソース機器１０が所定距離ＬＸまで接近したことを検出した場合、自機器の主電源をＯＮするものとしたが、逆にソース機器１０が所定距離ＬＸから遠ざかったことを検出した場合、自機器の主電源をＯＦＦする制御を行っても良い。この構成によれば、ユーザーが外出する際に、ホームオーディオ３０の電源をＯＦＦする手間を省くことができる。
【００７６】
また、上記の実施形態において充電制御部４２０は、所定距離Ｌ０≒０とし、タッチパネルＴＰ上にソース機器１０が配置されたときに充電を開始するものとしたが、所定距離Ｌ０≠０とし、ソース機器１０がタッチパネルＴＰ上に配置されていない状態でも充電を行う構成としても良い。また、音量調整・電源制御と同様に、各ソース機器１０との空間を介した離間距離Ｌｈに応じて充電優先度を決定しても良い。
【００７７】
また、上記の実施形態では、コンテンツとして、楽曲データを例示したが、映像データ、画像データ、テキストデータ等のデジタルデータ、並びにこれらの混合物に本実施形態を適用しても良い。例えば、スマートフォンで映像（または画像、テキスト）を視聴しながら自宅に帰り、自宅のテレビに近づいたとき、テレビの輝度（および音量）を徐々に上げていく、などのレベル調整制御が考えられる。
【００７８】
また、上記の実施形態では、ヘッドホン２０が無線通信可能範囲に存在しない場合（図１２のＳ１５：Ｎｏの場合）、ホームオーディオ３０の音量調整を行わないものとしたが、この場合でも、ホームオーディオ３０の音量調整を行う構成としても良い。つまり、ソース機器１０がホームオーディオ３０に近づくにつれて、ホームオーディオ３０の音量を徐々に大きくしていく構成としても良い。また、ヘッドホン２０が無線通信可能範囲に存在しない場合に、ホームオーディオ３０の音量調整を行うか否かについて、ユーザーが設定可能としても良い。
【００７９】
また、上記の実施形態において距離測定部３１０は、ＲＦＩＤ読取部３３の読取結果に基づいて自機器（ホームオーディオ３０）とソース機器１０との離間距離Ｌｈを測定したが、無線通信部１６，３８の通信結果に基づいて、離間距離Ｌｈを測定しても良い。また、ＲＦＩＤ読取部３３と無線通信部３８など、複数の測定手段を組み合わせることによって、より正確な距離測定を行い得る構成としても良い。
【００８０】
また、上記の実施形態において受信部３３０は、ソース機器１０からコンテンツ情報および設定情報を受信するものとしたが、ホームオーディオ３０（再生機器側）からの指令により、設定情報のみを受信可能としても良い。例えば、ホームオーディオ３０が、ソース機器１０以外の他のソースから提供されたコンテンツを再生する場合に、ソース機器１０から受信した設定情報にしたがって再生を行うことも可能である。
【００８１】
また、上記の実施形態において、ソース機器１０とは、コンテンツを内部に記憶した構成としたが、外部（Ｗｅｂサーバーなど）から取得したコンテンツを単にホームオーディオ３０やヘッドホン２０に提供するものであっても良い。
【００８２】
［第２実施形態］
次に、図１４〜図１９を参照し、本発明の第２実施形態（ユーザーインターフェース）について説明する。なお、本実施形態において、第１実施形態と同様の構成部分については同様の符号を付し、詳細な説明を省略する。また、第１実施形態と同様の構成部分について適用される変形例は、本実施形態についても同様に適用される。
【００８３】
図１４は、第２実施形態に係る再生システムＳＹの機能ブロック図である。ソース機器１０は、主な機能構成として、コンテンツ記憶部１１０および送信部１３０を備えている。一方、ホームオーディオ３０は、主な機能構成として、受信部３３０、コンテンツ再生部３４０、配置領域判定部４３０、再生操作領域表示部４４０、操作子表示部４５０、再生情報表示部４６０、コンテンツ画像表示部４７０および充電制御部４８０を備えている。コンテンツ記憶部１１０、送信部１３０、受信部３３０およびコンテンツ再生部３４０は、第１実施形態と同様に機能するため説明を省略する。また、配置領域判定部４３０、再生操作領域表示部４４０、操作子表示部４５０、再生情報表示部４６０およびコンテンツ画像表示部４７０は、制御部３１を主要部とし、充電制御部４８０は、充電部３９を主要部とする。
【００８４】
配置領域判定部４３０は、タッチパネルＴＰ上におけるソース機器１０の配置領域（タッチパネルＴＰへの接地領域）を判定する。再生操作領域表示部４４０は、各ソース機器１０の配置領域の少なくとも一部と、タッチパネルＴＰの中心位置Ｐ１を含む所定サイズの円形領域を、各ソース機器１０に対応する再生操作領域ＥＰとして表示する。本実施形態では、各ソース機器１０の基準位置Ｐ３（重心）と、タッチパネルＴＰの中心位置Ｐ１を結ぶ直線上に、再生操作領域ＥＰの中心位置Ｐ２が設定されるように、所定半径の正円である再生操作領域ＥＰを表示する。
【００８５】
図１５は、タッチパネルＴＰ上における再生操作領域ＥＰの配置例を示す図である。同図（ａ）は、２台のソース機器１０が横並びに配置された場合の再生操作領域ＥＰの配置例を示している。同図において、符号Ｔ０は、各ソース機器１０の基準位置Ｐ３（図示省略）と、タッチパネルＴＰの中心位置Ｐ１を結ぶ直線を示している。このように、ソース機器１０の基準位置Ｐ３に応じて、再生操作領域ＥＰの配置が決定する。なお、ソース機器１０の向きによって再生操作領域ＥＰの配置が変わることはない（図１６参照）。また、図１５（ｂ）は、２台のソース機器１０が縦並びに配置された場合の再生操作領域ＥＰの配置例を示している。この場合、再生操作領域ＥＰの一部（同図点線部）はタッチパネルＴＰ外であるため、非表示となる。また、図１５（ｃ）は、２台のソース機器１０が斜めに配置された場合の再生操作領域ＥＰの配置例を示している。
【００８６】
なお、図１５に示したように、２つの再生操作領域ＥＰの中心位置Ｐ２が、中心位置Ｐ１の両側且つ直線Ｔ０上に位置する場合、その配置によらず、重複領域ＥＰＷは全て同じ面積となる。また、２台のソース機器１０の基準位置Ｐ３が、中心位置Ｐ１の片側且つ直線Ｔ０上に配置された場合、２つの再生操作領域ＥＰが完全に重複することになるが、この場合は所定量だけ（例えば、中心位置Ｐ１を基準とした回転角度３０度分など）位置ずれさせて、２つの再生操作領域ＥＰを表示する。当然、２つの再生操作領域ＥＰが完全に重複しない場合でも、ほぼ重なる配置となる場合、２つの再生操作領域ＥＰを所定量だけ位置ずれさせても良い。
【００８７】
また、再生操作領域表示部４４０は、タッチパネルＴＰ上に複数のソース機器１０が配置されている場合、各ソース機器１０に対応する再生操作領域ＥＰを、互いに異なる色で表示する。本実施形態では、タッチパネルＴＰ上に最初に配置されたソース機器１０の再生操作領域ＥＰを赤色、次に配置されたソース機器１０の再生操作領域ＥＰを青色、といったように、配置順に応じて表示色を決定する。なお、各ソース機器１０のイルミネーション部６３（図２参照）は、対応する再生操作領域ＥＰの表示色と同一色に設定される（点灯、点滅または回転点滅する）。これにより、どのソース機器１０がどの再生操作領域ＥＰに対応しているかをユーザーが一目で把握できる。
【００８８】
操作子表示部４５０は、タッチパネルＴＰ上において、ソース機器１０の再生操作領域ＥＰ内且つ当該ソース機器１０の配置領域を除く残領域に、当該ソース機器１０の再生操作を行うための操作子群Ｇ２を表示する。また、操作子表示部４５０は、操作子群Ｇ２を、対応する再生操作領域ＥＰ（操作子群Ｇ２を囲む再生操作領域ＥＰ）と同一の色で表示する。なお、操作子群Ｇ２に含まれる操作子とは、再生、一時停止、早送り／巻き戻しなどを指す（図１６，図１７参照）。その他、再生種類（通常再生、リピート再生、ランダム再生など）の指定、音量調整、タイトル／チャプター／トラックサーチなどを行うための操作子を操作子群Ｇ２に含めても良い。但し、本実施形態では、音量調整の操作子（音量操作子Ｇ３）のみ、特殊な表示を行う。具体的には、図１７に示すように、再生操作領域ＥＰの円周部から中心位置Ｐ２に向かう直線と、音量値を示す文字情報を、設定されている音量値に応じた位置（中心位置Ｐ２を中心とした角度）に表示する。このため、音量調整は、音量操作子Ｇ３の直線を図示矢印のようにドラッグすることによって行う。
【００８９】
再生情報表示部４６０は、ソース機器１０の再生操作領域ＥＰ内且つ当該ソース機器１０の配置領域を除く残領域に、再生中のコンテンツに関する再生情報Ｇ１を表示する。また、再生情報Ｇ１も、操作子群Ｇ２と同様に、対応する再生操作領域ＥＰと同一の色で表示される。ここで、再生情報Ｇ１とは、アーティスト名やタイトル名などの付随情報、ＢＰＭ、ＫＥＹ、ジャンルなどの解析情報を指す（図１６，図１７参照）。なお、本実施形態において解析情報は、不図示の機器（ＰＣなど）によって予め解析された情報をソース機器１０に記憶しておくが、ホームオーディオ３０によって楽曲データを解析し、その解析結果を再生情報Ｇ１として表示しても良い。
【００９０】
ところで、操作子表示部４５０および再生情報表示部４６０は、再生操作領域ＥＰ内において、ソース機器１０の向きがどのように配置されても重複しない一部の領域（以下、「情報表示領域ＥＳ」と称する）内に操作子群Ｇ２および再生情報Ｇ１を表示する。図１６は、図１５（ａ）の左側の再生操作領域ＥＰ内に設定される情報表示領域ＥＳを示している。このように、再生操作領域ＥＰの中心位置Ｐ２とタッチパネルＴＰの中心位置Ｐ１とに応じて一意に定まる２つの矩形領域（上辺、下辺が直線Ｔ０と平行且つ左辺および右辺が所定長さとなる長方形）を、情報表示領域ＥＳとして設定する。
【００９１】
図１７は、図１６のように設定された情報表示領域ＥＳへの操作子群Ｇ２および再生情報Ｇ１の表示例を示している。また、図１８は、図１５（ｃ）の左側の再生操作領域ＥＰ内に設定される情報表示領域ＥＳと、操作子群Ｇ２および再生情報Ｇ１の表示例を示している。同図に示すように、情報表示領域ＥＳ内に表示される情報の文字並び（または操作子の配列）は、情報表示領域ＥＳの向き（直線Ｔ０の傾き）によらず、ユーザー側（ホームオーディオ３０の手前側）から見て平行になるように設定される。また、再生情報Ｇ１の情報量と、情報表示領域ＥＳのスペースとの兼ね合いにより、適宜改行、若しくは情報を減らして表示する（表示スペースが確保できない場合、ＢＰＭは表示しない、など）。さらに、操作子表示部４５０および再生情報表示部４６０は、対応するソース機器１０が再生中である場合のみ表示を行う。これにより、ユーザーは、どのソース機器１０が再生中であるかを一目で把握できる。
【００９２】
コンテンツ画像表示部４７０は、タッチパネルＴＰの中心部（再生操作領域ＥＰ内）に、再生中のコンテンツに関連するコンテンツ画像Ｇ４を表示する（図７（ａ）参照）。また、再生中のコンテンツに関連するコンテンツ画像Ｇ４の背面には、次に再生されるコンテンツのコンテンツ画像Ｇ４を表示する。なお、コンテンツ画像Ｇ４は、少なくともコンテンツ（楽曲データ）の再生前に、受信部３３０により受信される。また、コンテンツ画像が付随されていないコンテンツについては、非表示、若しくは予め用意された特定画像（メーカー名を示すロゴマークなど）を表示する。また、タッチパネルＴＰ上に複数のソース機器１０が配置されている場合、各ソース機器１０に対応する複数の再生操作領域ＥＰの重複領域ＥＰＷ内に、コンテンツ画像Ｇ４を表示する。
【００９３】
充電制御部４８０は、ソース機器１０がタッチパネルＴＰ上に配置されたことを検出した場合、当該ソース機器１０に対し、非接触充電を行う。また、Ｎ台（但し、Ｎ≧２となる整数）のソース機器１０に対し同時充電が可能であり、Ｍ台（但し、Ｍ＞Ｎとなる整数）のソース機器がタッチパネルＴＰ上に配置された場合は、再生中のソース機器１０を優先して充電を行う。例えば、ホームオーディオ３０が２台の電源コイルアレイを有している場合であって、２台のソース機器１０がタッチパネルＴＰ上に配置されている場合は、２台同時に充電を行う。但し、３台以上のソース機器１０がタッチパネルＴＰ上に配置されている場合は、コンテンツを送信しているソース機器１０（１台または２台）を先に充電し、充電完了後に残りのソース機器１０を充電する。なお、同時充電可能な台数を超えてソース機器１０が配置された場合、距離測定部３１０により測定された各ソース機器１０との距離に応じて、充電優先度を決定するか（第１実施形態の充電制御）、再生中のソース機器１０を優先するか（第２実施形態の充電制御）を、ユーザーが任意に設定可能としても良い。
【００９４】
以上説明したとおり、第２実施形態によれば、ソース機器１０の再生操作を行うための操作子群Ｇ２を、タッチパネルＴＰ上におけるソース機器１０の配置領域を避けた領域（情報表示領域ＥＳ）に表示するため、ソース機器１０の配置によらず、操作子群Ｇ２の視認性を確実に確保することができる。また、ソース機器１０の配置を中心とした再生操作領域ＥＰを表示し、且つ当該再生操作領域ＥＰ領域内に操作子群Ｇ２を表示するため、どの操作子群Ｇ２がどのソース機器１０に対応しているかを明確に示すことができる。また、再生操作領域ＥＰは、非再生中のソース機器１０に対しても表示されるため、ホームオーディオ３０にソース機器１０が認識されていることをユーザーが確認できる。また、再生操作領域ＥＰは、ソース機器１０の基準位置Ｐ３に応じた適切な位置に表示されるため、複数台のソース機器１０が配置された場合でも、複数の再生操作領域ＥＰを見栄えよく配置できる。
【００９５】
また、再生操作領域ＥＰ内には、操作子群Ｇ２だけでなく、再生中のコンテンツに関する再生情報Ｇ１を表示するため、ユーザーがコンテンツに関する情報を把握できる。また、タッチパネルＴＰ上に複数のソース機器１０が配置された場合、各再生操作領域ＥＰを互いに異なる色で表示するため、２以上のソース機器１０が近くに配置された場合でも、各再生操作領域ＥＰをユーザーが容易に識別できる。また、各再生操作領域ＥＰの重複領域ＥＰＷ（タッチパネルＴＰの中心部）にコンテンツ画像Ｇ４を表示するため、ユーザーは再生中のコンテンツを直感的に把握できる。
【００９６】
また、コンテンツの再生操作を行うためのタッチパネルＴＰ上にソース機器１０を配置してコンテンツを再生させる構成であるため、従来のようにソース機器１０をドックに差し込む必要がなく、アクセサリーをアクセサリートレイに載せる感覚で、ソース機器１０をタッチパネルＴＰに載せて使用することができる。
【００９７】
また、ホームオーディオ３０には、複数台のソース機器１０への同時充電が可能であり、タッチパネルＴＰ上に同時充電可能な台数を超えたソース機器１０が配置されている場合は、再生中のコンテンツを提供しているソース機器１０を優先するため、効率よく充電を行うことができる。
【００９８】
なお、上記の実施形態では、ホームオーディオ３０のタッチパネルＴＰ（ホームオーディオ３０の載置面と平行な水平面）上にソース機器を配置したが、水平ではない面を有するタッチパネルにソース機器１０を配置しても良い。以下、カーオーディオ４０の前面にソース機器１０を装着する実施例（変形例）について説明する。
【００９９】
図１９は、変形例に係るカーオーディオ４０の正面図である。本変形例のカーオーディオ４０は、その正面全体がタッチパネル９６で構成されている。また、タッチパネル９６には、複数個の突部５１（同図では３個，装着部）が形成されており、これらの突部５１に、ソース機器１０の貫通開口７１が挿入・装着される。各突部５１には、不図示の接触式センサーが組み込まれている。これらの構成により、本変形例に係る配置領域判定部４３０は、複数の突部５１のうちどの突部５１にソース機器１０がされたかに応じて、ソース機器１０の配置領域を判定する。
【０１００】
例えば、図１９（ａ）は、３個の突部５１のうち左側の突部５１にソース機器１０が装着された場合の表示例を示している。ソース機器１０の周囲には、再生操作領域ＥＰが表示される。また、再生操作領域ＥＰ内の所定の位置（ソース機器１０の配置領域を除く残領域）には、操作子群Ｇ２も表示される。一方、再生情報Ｇ１については、ソース機器１０のタッチパネル１４上に表示される。また、再生情報Ｇ１の文字方向は、ソース機器１０に組み込まれているジャイロセンサーの検出結果に基づき、図示の方向（縦置き方向）に設定される。一方、図１９（ｂ）は、３個の突部５１のうち中央の突部５１にソース機器１０が装着された場合の表示例を示している。このように、再生操作領域ＥＰおよび操作子群Ｇ２は、ソース機器１０が装着されている突部５１を中心として、その表示位置が決定される。なお、図１９では、１台のソース機器１０が装着された場合を図示したが、２台または３台のソース機器１０を同時に装着しても良い。この場合、各ソース機器１０について再生操作領域ＥＰを表示するが、操作子群Ｇ２は、再生中のソース機器１０に対応するものだけを表示する。また、当該変形例では、各突部５１の位置に合わせて、タッチパネル９６の裏側に複数個の電源コイルアレイが組み込まれており、複数台のソース機器１０に対して同時充電が可能となっている。
【０１０１】
以上説明したとおり、図１９に示す変形例によれば、タッチパネル９６の面が水平面ではない場合でも、ソース機器１０を固定配置することができる。また、予め突部５１を設けておくことで、ソース機器１０がタッチパネル９６面に完全に接触していない場合でも、その配置領域を判定できる。なお、突部５１に代えて、ソース機器１０を嵌め込むための複数のドックをタッチパネル９６上に設け、どのドックにソース機器１０が装着されたかに応じて、ソース機器１０の配置領域を判定しても良い。また、突部５１に代えて、ソース機器１０を係止するための複数の係止部を備えても良い。
【０１０２】
その他、以下の変形例を採用可能である。例えば、上記の実施形態では、ソース機器１０の重心位置を基準位置としたが、他の位置（例えば、タッチパネル１４の中心、リング操作部１２の中心など）を基準位置としても良い。また、ソース機器１０の基準位置を基準とした再生操作領域ＥＰ内に、再生情報Ｇ１、操作子群Ｇ２、音量操作子Ｇ３、コンテンツ画像Ｇ４などを表示したが、再生操作領域ＥＰ外に、これらの情報の一部または全てを表示しても良い。つまり、少なくともソース機器１０の配置領域を除く残領域に、これらの情報を表示することが好ましい。
【０１０３】
また、上記の実施形態では、再生操作領域ＥＰの大きさを所定サイズ（同一サイズ）としたが、ソース機器１０の配置によって可変しても良い。例えば、図１５（ｂ）に示すように再生操作領域ＥＰを表示すると、その一部が欠けてしまうため、円形領域に欠けが発生しないように、再生操作領域ＥＰの大きさ（半径または直径）を小さくしても良い。また、再生操作領域ＥＰの大きさを小さくするのではなく、重複領域ＥＰＷを広くとることによって、円形領域の欠けをなくしても良い。
【０１０４】
また、上記の実施形態では、ソース機器１０の配置順に応じて、再生操作領域ＥＰの表示色を決定するものとしたが、各ソース機器１０にユーザーの好みの色を予め設定しておき、当該設定に従って対応する各再生操作領域ＥＰの表示色を決定しても良い。また、再生中のコンテンツまたは次に再生するコンテンツの解析情報（ＢＰＭ、ＫＥＹ、ジャンルなど）に応じて、表示色を決定しても良い。
【０１０５】
また、上記の実施形態および変形例では、ソース機器１０の再生操作を行うためのユーザーインターフェースを、再生機器のタッチパネルＴＰ，９６上に表示する場合を例示したが、他の電子機器および表示機器にも応用可能である。つまり、何らかの電子機器がタッチパネルＴＰ上に配置された場合、その配置領域を除く残領域に電子機器を操作するためのユーザーインターフェースを表示する表示機器に、本実施形態のホームオーディオ３０の各部を適用しても良い。
【０１０６】
［第３実施形態］
次に、図２０〜図２３を参照し、本発明の第３実施形態（シャッフル再生）について説明する。なお、本実施形態において、上記の各実施形態と同様の構成部分については同様の符号を付し、詳細な説明を省略する。また、上記の各実施形態と同様の構成部分について適用される変形例は、本実施形態についても同様に適用される。
【０１０７】
図２０は、第３実施形態に係る再生システムＳＹの機能ブロック図である。ソース機器１０は、主な機能構成として、コンテンツ記憶部１１０および送信部１３０を備えている。一方、ホームオーディオ３０は、主な機能構成として、距離測定部５１０、送信指令部５２０、受信部３３０、コンテンツ再生部３４０およびコンテンツ画像表示部５３０を備えている。コンテンツ記憶部１１０、送信部１３０、受信部３３０およびコンテンツ再生部３４０は、第１実施形態と同様に機能するため説明を省略する。また、距離測定部５１０は、ＲＦＩＤ読取部３３を主要部とし、送信指令部５２０およびコンテンツ画像表示部５３０は、制御部３１を主要部とする。
【０１０８】
距離測定部５１０は、自機器（ホームオーディオ３０）と各ソース機器１０との離間距離を測定する。なお、本実施形態において「離間距離」とは、タッチパネルＴＰの中心位置Ｐ１から、各ソース機器１０の基準位置Ｐ３までの距離を指す。例えば、図２１（ｂ）に示すように、＜ソース機器１＞と＜ソース機器２＞が配置されている場合、＜ソース機器１＞との離間距離はＬ１、＜ソース機器２＞との離間距離はＬ２である。
【０１０９】
送信指令部５２０は、距離測定部５１０の測定結果に基づき、各ソース機器１０に対してコンテンツの送信指令を行う。具体的には、各ソース機器１０との離間距離の比率に応じて、シャッフル再生におけるコンテンツ数の比率を決定し、当該比率に応じて各ソース機器１０に対しランダムに送信指令を行う。図２１（ａ）は、各ソース機器１０との離間距離の比率と、シャッフル再生の際の再生曲数の比率との関係を示す再生比率テーブルである。当該再生比率テーブルは、ホームオーディオ３０の制御部３１（ＲＯＭ）内に記憶されている。例えば、離間距離の比率Ｌ１／Ｌ２が１／５未満の場合、すなわち＜ソース機器２＞との離間距離が＜ソース機器１＞との離間距離に対して５倍より大きい場合は、＜ソース機器１＞と＜ソース機器２＞の再生曲数の割合を、５：１とする。この場合、例えば＜ソース機器１＞に対し５曲分の送信指令を行った後、＜ソース機器２＞に対し１曲分の送信指令を行う、を再生終了指示があるまで繰り返す。若しくは、ある所定数（例えば１２曲）の再生中、＜ソース機器１＞と＜ソース機器２＞の再生曲数が比率に応じた数（例えば１０曲と２曲）となるように、ランダムに再生指令を行う。このように、送信指令部５２０は、離間距離が長いソース機器１０よりも離間距離が短いソース機器１０から提供されるコンテンツ数が多くなるように、各ソース機器１０に対しコンテンツの送信指令を行う。
【０１１０】
なお、ホームオーディオ３０は、各ソース機器１０との通信確率時に、各ソース機器１０内に格納されているコンテンツリストを取得して、シャッフル再生用のプレイリスト（コンテンツの再生順序を列記したもの）を作成しておく。そして、距離測定部５１０により、各ソース機器１０との離間距離を随時測定し、各ソース機器１０との離間距離の比率が変更したときに、プレイリストを更新する。送信指令部５２０は、作成しておいたプレイリストに従って次に再生するコンテンツを指定し、送信指令を行う。なお、通常再生（１台のソース機器１０のみを対象とし、記憶されているコンテンツを順番に再生する方法）を行うか、シャッフル再生を行うかをユーザーに選択させ、シャッフル再生を行うことが選択された場合のみ、距離測定部５１０の測定結果に基づくシャッフル再生を行っても良い。
【０１１１】
コンテンツ再生部３４０は、送信指令部５２０によるコンテンツの送信指令に対して受信したコンテンツのシャッフル再生を行う。なお、コンテンツの切替時には、クロスフェード処理を行う。クロスフェード処理は、各ソース機器１０に対してフェードイン、フェードアウトなどの音量調整を指令しても良いし、ホームオーディオ３０側で出力する音量を調整しても良い。また、クロスフェード処理時には、切替前後のコンテンツのＢＰＭを同期させる同期処理を行っても良い。
【０１１２】
コンテンツ画像表示部５３０は、タッチパネルＴＰ上に、再生中のコンテンツに関するコンテンツ画像Ｇ４を表示する。なお、表示位置については、第２実施形態と同様である（図７（ａ）参照）。また、コンテンツ画像表示部５３０は、コンテンツ再生部３４０によるクロスフェード処理時において、再生中のコンテンツに関する第１のコンテンツ画像Ｇ４１に対し、次に再生されるコンテンツに関する第２のコンテンツ画像Ｇ４２を覆い被せるようにして表示切替を行う。
【０１１３】
図２２は、その表示切替を示す説明図である。同図に示すように、第１のコンテンツが再生されている状態では、第１のコンテンツ画像Ｇ４１の背面に、第２のコンテンツ画像Ｇ４２の一部を表示する（図２２（ａ）参照）。この状態では、第１のコンテンツ画像Ｇ４１の画像サイズに比べ、第２のコンテンツ画像Ｇ４２の画像サイズが小さい。クロスフェード処理が開始されると、第１のコンテンツ画像Ｇ４１の透過率が上がり、第２のコンテンツ画像Ｇ４２の画像サイズが大きくなる（図２２（ｂ）参照）。また、クロスフェード処理が進むと、第１のコンテンツ画像Ｇ４１の透過率がさらに上がり、第２のコンテンツ画像Ｇ４２の画像サイズがさらに大きくなる（図２２（ｃ）参照）。その後、クロスフェード処理の終了時（第２のコンテンツの再生開始時）には、第１のコンテンツ画像Ｇ４１が消え、第２のコンテンツ画像Ｇ４２の画像サイズが最大値となり、第２のコンテンツの次に再生される第３のコンテンツのコンテンツ画像Ｇ４３が、第２のコンテンツ画像Ｇ４２の背面に表示される（図２２（ｄ）参照）。
【０１１４】
以上説明したとおり、第３実施形態によれば、ホームオーディオ３０と各ソース機器１０との離間距離の比率に応じてシャッフル再生のコンテンツ比率を可変するため、斬新な（新鮮味のある）再生制御を実現できる。また、離間距離が長いソース機器１０よりも離間距離が短いソース機器１０から提供されるコンテンツ数が多くなるように送信指令を行うため、ソース機器１０の配置を可変することで、再生するコンテンツ数を任意に可変できる。
【０１１５】
また、シャッフル再生のコンテンツ切替時には、再生中のコンテンツに関する第１のコンテンツ画像Ｇ４１に対し、次に再生されるコンテンツに関する第２のコンテンツ画像Ｇ４２を覆い被せるようにして表示切替を行うため、ユーザーに対しコンテンツの切り替わり（クロスフェード処理）を、直感的に分かりやすく伝えることができる。
【０１１６】
なお、以下の変形例を採用可能である。例えば、上記の実施形態では、タッチパネルＴＰの中心位置Ｐ１から、各ソース機器１０の基準位置Ｐ３までの距離を測定したが、図２３に示すように、ホームオーディオ３０の筐体（ＲＦＩＤ読取部３３）と、各ソース機器１０の筐体（ＲＦＩＤ１７）間の距離を測定しても良い。この場合は、タッチパネルＴＰ上に複数台のソース機器１０が配置されている場合、いずれも離間距離０として（同じ離間距離として）測定する。また、当該変形例は、ホームオーディオ３０だけでなく、カーオーディオ４０やヘッドホン２０にも適用可能である。
【０１１７】
また、上記の実施形態では、２台のソース機器１０によるシャッフル再生を例示したが、３台以上のソース機器１０によるシャッフル再生にも本発明を適用可能である。
【０１１８】
また、上記の実施形態では、各ソース機器１０との離間距離に応じて、シャッフル再生を行う際のコンテンツ数の比率を可変したが、シャッフル再生以外の再生方法にも適用可能である。例えば、２台のソース機器１０と通信可能状態にある場合、離間距離が小さい方のソース機器１０に対してのみ送信指令を行う再生方法や、離間距離が小さい方のソース機器１０に対して送信指令を行い、記憶されている全てのコンテンツの再生が終わった時点で、離間距離が大きい方のソース機器１０に対して送信指令を行う再生方法などが考えられる。
【０１１９】
また、上記の実施形態では、ホームオーディオ３０側で予めプレイリストを作成しておき、当該プレイリストに従って次に再生するコンテンツを指定するものとしたが、プレイリストの作成を省略しても良い。この場合は、ホームオーディオ３０から送信指令のみを行い、どのコンテンツを送信するかはソース機器１０側で決定する。
【０１２０】
以上３つの実施形態および変形例を示したが、各実施形態および変形例を組み合わせても良い。また、上記の各実施形態では、再生機器として、ホームオーディオ３０等のオーディオ機器を例示したが、ＤＪ機器や放送用機器など他のオーディオ機器にも適用可能である。オーディオ機器のみならず、ソース機器１０と無線通信が可能な再生機器に本実施形態を適用可能である。例えば、ソース機器１０が、映像コンテンツや各種ファイル（テキストファイル、画像ファイルなど）を転送可能なものであれば、再生機器として表示機器（テレビ、プロジェクターなど）を適用可能である。さらに、コンピューターやスマートフォンにインストールされたアプリケーションにより楽曲再生・映像再生を行う場合など、それらコンピューターやスマートフォンにも本発明を適用可能である。
【０１２１】
また、上記の各実施形態に示した再生システムＳＹの各部および各機能をプログラムとして提供することが可能である。また、そのプログラムを各種記録媒体（ＣＤ−ＲＯＭ、フラッシュメモリ等）に格納して提供することも可能である。すなわち、コンピューターを、再生システムＳＹの各部として機能させるためのプログラム、およびそれを記録した記録媒体も、本発明の権利範囲に含まれるものである。また、上記の実施例によらず、再生システムＳＹのシステム構成、各オーディオ機器の装置構成や処理工程等について、本発明の要旨を逸脱しない範囲で、適宜変更が可能である。
【符号の説明】
【０１２２】
１０…ソース機器  １２…リング操作部  １３…メモリー  １５…電源部  １６…無線通信部  １７…ＲＦＩＤ  １９…操作リング  ２０…ヘッドホン  ２２…リング操作部  ３０…ホームオーディオ  ３３…ＲＦＩＤ読取部  ３８…無線通信部  ３９…充電部  ４０…カーオーディオ  ４２…ディスプレイ  ４３…ＲＦＩＤ読取部  ４８…無線通信部  ４９…充電部  ５１…突部  ５６…ＡＣ電源  ５７…スピーカー  ５８…バッテリー電源  ５９…リモコン  ６１…機器本体  ６３…イルミネーション部  ６５…筐体  ６５ａ…開口部  ６５ｂ…環状溝  ６９…操作リング  ７１…貫通開口  ７３…ドック  ８１…コンテンツ再生部  ８２…スピーカー部  ８２ａ…上出力面  ８３…装置ケース  ８４…台座部  ９１…フロントパネル  ９２…突出パネル部  ９３…ドック  ９４…突部  ９６…タッチパネル  ＥＰ…再生操作領域  ＥＰＷ…重複領域  ＥＳ…情報表示領域  Ｇ１…再生情報  Ｇ２…操作子群  Ｇ３…音量操作子  Ｇ４…コンテンツ画像  Ｐ１…タッチパネルの中心位置  Ｐ２…再生操作領域の中心位置  Ｐ３…基準位置  Ｓ１…サブ操作部  ＳＹ…再生システム  ＴＰ…タッチパネル
【図１】
2013093752.tif 000003
【図２】
2013093752.tif 000004
【図３】
2013093752.tif 000005
【図４】
2013093752.tif 000006
【図５】
2013093752.tif 000007
【図６】
2013093752.tif 000008
【図７】
2013093752.tif 000009
【図８】
2013093752.tif 000010
【図９】
2013093752.tif 000011
【図１０】
2013093752.tif 000012
【図１１】
2013093752.tif 000013
【図１２】
2013093752.tif 000014
【図１３】
2013093752.tif 000015
【図１４】
2013093752.tif 000016
【図１５】
2013093752.tif 000017
【図１６】
2013093752.tif 000018
【図１７】
2013093752.tif 000019
【図１８】
2013093752.tif 000020
【図１９】
2013093752.tif 000021
【図２０】
2013093752.tif 000022
【図２１】
2013093752.tif 000023
【図２２】
2013093752.tif 000024
【図２３】
2013093752.tif 000025